(57)【要約】      （修正有）【課題】可搬式ＭＲＩ／ＮＭＲ装置内で使用できる磁場に対する透過性を有すする未熟な新生児の生命維持環境クレイドル（ＳＥＣ）を提供する。【解決手段】ＳＥＣ１０は、未熟な新生児用の保育器１００、測定装置の内部に収容される形状およびサイズに構成され、新生児のための密閉された生命維持システム１２に接続するためのアダプタ１１を備える。ここでの生命維持とは、麻酔ガス、空気調整、水、食事供給、薬剤、注入、電子機器、様々な医療設備に対するケーブル等からなる群の１つ以上があげられる。またＳＥＣは、ＳＥＣが保育器内にある間に、未熟な新生児を収容するための少なくとも１つの第１の開放部と、ＳＥＣ内に密封された保育器の空気の体積内に新生児を閉じ込めるための第２の閉止部とを備え、新生児を含む密閉されたＳＥＣを保育器から移動させた際、閉じ込めが完全に維持されるように構成される。【選択図】図１
0003184764.tif 000002
【実用新案登録請求の範囲】
【請求項１】
未熟な新生児の生命維持環境クレイドル（ＳＥＣ）であって、（ｉ）未熟な新生児用の保育器、及び（ｉｉ）測定装置の内部に収容される形状およびサイズに構成されており、前記ＳＥＣは、前記ＳＥＣが前記保育器内にある間に、前記未熟な新生児を収容するための少なくとも１つの第１の開放部と、前記ＳＥＣ内に密封された保育器の空気の体積内に前記新生児を閉じ込めるための第２の閉止部とが備えられ、前記新生児を含む密閉された前記ＳＥＣを前記保育器から移動させた際、前記閉じ込めが完全に維持されるように構成されていることを特徴とする生命維持環境クレイドル。
【請求項２】
ＭＲＩ専用の未熟な新生児の生命維持環境クレイドル（ＳＥＣ）であって、前記ＭＲＩ専用のＳＥＣは、磁場に対し透過性のある材料で構成されており、前記測定装置はＭＲＩ装置であることを特徴とする請求項１に記載の生命維持環境クレイドル。
【請求項３】
前記新生児のための密閉された生命維持装置に接続するアダプタをさらに備えることを特徴とする請求項１に記載の生命維持環境クレイドル。
【請求項４】
１つ以上の手でアクセスできるポートと、柔軟性を有し非弾性で軽量な少なくとも２つの密封ガス気密フラップとをさらに備え、前記フラップは、前記ポート開口部の同一平面内に重なるように配置され、前記新生児を取扱うための前記ポート開口部を完全に覆っていることを特徴とする請求項１に記載の生命維持環境クレイドル。
【請求項５】
前記ＳＥＣが少なくとも部分的に可逆的に折り畳み可能又は展開可能な構造で構成されていることを特徴とする請求項１に記載の生命維持環境クレイドル。
【請求項６】
前記少なくとも部分的に可逆的に折り畳み可能な構造が、前記新生児を収容する開口部を有する連続的な包膜を形成するようなサイズ及び形状に構成された複数の曲線状若しくは多角形のフラップ又は部材から形成されることを特徴とする請求項５に記載の生命維持環境クレイドル。
【請求項７】
測定装置の内部に収容される形状およびサイズに構成されている未熟な新生児の生命維持保育器（ＳＥＩ）であって、前記ＳＥＩは前記測定装置と干渉しない材料で形成され、前記ＳＥＩは、前記ＳＥＩ内に密封された体積内に前記新生児を閉じ込めるための閉止部が、前記新生児を含む前記ＳＥＩと前記測定装置との間を移動させた際、前記閉じ込めが完全に維持されるように構成されていることを特徴とする生命維持保育器。
【請求項８】
ＭＲＩ装置の内部に収容される形状およびサイズに構成されているＭＲＩ専用の未熟な新生児の生命維持保育器（ＭＲＩ−ＳＥＩ）であって、前記ＭＲＩ―ＳＥＩは、磁気に透過性のある材料で構成されており、前記ＭＲＩ−ＳＥＩの密封された体積内に前記新生児を閉じ込めるための閉止部が、（i）前記新生児を含む前記ＭＲＩ−ＳＥＩのＭＲＩ装置への移動及びその逆の移動、並びに（ii）前記測定の間、の両方において前記閉じ込めが完全に維持されるように構成されていることを特徴とする生命維持保育器。
【請求項９】
ａ．未熟な新生児の生命維持環境クレイドル（ＳＥＣ）を取得し、前記ＳＥＣを（i）未熟な新生児のための保育器、及び（ii）測定装置の内部に収容される形状およびサイズに準備する工程と、
ｂ．前記保育器内に前記ＳＥＣを配置する工程と、
ｃ．前記保育器内で前記ＳＥＣを開ける工程と、
ｄ．少なくとも１つの開放状態の前記ＳＥＣ内に前記新生児を収容する工程と、
ｅ．前記測定を行う前に、前記保育器内の前記ＳＥＣを密封し、前記ＳＥＣ内に（i）保育器の空気と（ii）前記新生児とを閉じ込める工程と、
ｆ．前記保育器から、閉止状態の前記ＳＥＣを出す工程と、
ｇ．前記新生児を含む前記ＳＥＣを前記測定装置に移動させ、前記新生児を外部環境にさらさずに測定を行う工程とを備え、
前記閉じ込めされたＳＥＣ内の前記新生児を移動させる工程は、外部環境に前記新生児をさらすことなく実行されることを特徴とする、保育器の外の環境に未熟な新生児をさらすことなく未熟な新生児の測定を行う方法。
【請求項１０】
前記ＳＥＣを取得する工程には、磁場に対して透過性のある材料で前記ＳＥＣを形成する工程が含まれ、かつ、前記新生児を含む前記ＳＥＣを前記測定装置に移動する工程には、前記測定装置にＭＲＩ装置を選択することが含まれている、保育器の外の環境に未熟な新生児をさらすことなく未熟な新生児のＭＲＩ測定を行えるように構成されていることを特徴とする請求項８に記載の方法。
【請求項１１】
ａ．測定装置の内部に収容される形状およびサイズに構成された未熟な新生児の生命維持保育器（ＳＥＩ）を取得し、前記ＳＥＩを前記測定装置と干渉しない材料で形成し、前記ＳＥＩの密封された体積内に前記新生児を閉じ込めるための閉止部を前記ＳＥＩに設ける工程と、
ｂ．前記新生児を前記ＳＥＩ内に収容する工程と、
ｃ．前記測定前に、前記新生児を含む前記ＳＥＩを前記測定装置に移動し、前記新生児を外部環境にさらすことなく前記測定を行う工程とを備え、
前記新生児を含む前記ＳＥＩを前記測定装置に移動及びその逆の両方の移動を行うこと及び前記測定の間に、前記閉じ込めが完全に維持されるように構成されていることを特徴とする保育器の外の環境にさらすことなく未熟な新生児の測定を行う方法。
【請求項１２】
前記ＳＥＩを取得する工程には、磁場に対して透過性のある材料で前記ＳＥＩを形成する工程が含まれ、かつ、前記測定を行う工程には、前記測定装置にＭＲＩ装置を選択することが含まれている、保育器の外の環境に未熟な新生児をさらすことなくＭＲＩ測定を行えるように構成されていることを特徴とする請求項１１に記載の方法。
【請求項１３】
ａ．磁場に対して透過性を有する新生児の保育器を提供する工程と、
ｂ．前記新生児の保育器を収納できるように構成された未熟児生命維持環境室を提供し、前記新生児の保育器が連続的に前記新生児に提供できるように、前記環境室は、少なくとも１つの生命維持サービスを連続的に前記新生児に供給する工程と、
ｃ．前記未熟な新生児を前記保育器に配置する工程と、
ｄ．前記未熟な新生児に対し、少なくとも１つの生命維持サービスが行われる工程と、
ｅ．前記未熟な新生児を含む前記保育器を前記ＳＥＣに移動する工程とを備え、
前記移動工程は、前記少なくとも１つの生命維持サービスを分断することなくなされ、さらに、前記ＳＥＣは可搬式ＭＲＤ装置内から操作されることを特徴とするＭＲＤ測定間に未熟な新生児の生命を維持する方法。
【請求項１４】
ＭＲＩ測定のための未熟な新生児の生命維持環境室であって、
ａ．未熟な新生児に対し、少なくとも１つの生命維持サービスを供給するためのＭＲＩ対応救命キュービクルは、ＭＲＩ装置への挿入のための調整可能な幾何学的形状を有し、少なくとも１つの磁気透過性材料を備えており、
ｂ．前記ＭＲＩ対応の救命キュービクルが少なくとも１つの生命維持システムに結合するための生命維持結合システムは、前記ＭＲＩ装置への挿入のための調整可能な幾何学的形状を有し、（i）連結／分離機構、及び（ii）少なくとも１つの磁気透過性材料を備え、
前記ＭＲＩ対応の救命キュービクル内に前記未熟な新生児を配置している間、前記ＭＲＩ対応の救命キュービクルは前記生命維持装置に連結されたままであることを特徴とする生命維持環境室。
【請求項１５】
前記少なくとも１つの生命維持サービスは、空気、水、ガス及び輸液の交換、薬物送達、かん流、廃物除去、輸血、麻酔ガス並びにこれらのいかなる組み合わせからなる群より選ばれることを特徴とする請求項１４に記載の生命維持環境室。
【請求項１６】
ａ．未熟な新生児の前記ＭＲＩ測定を行うためのＭＲＩ装置を提供する工程、
ｂ．ＭＲＩ対応の救命キュービクル内に前記未熟な新生児を配置する工程、
ｃ．前記ＭＲＩ対応のキュービクルに少なくとも１つの生命維持システムを連結する工程、
ｄ．前記連結されたＭＲＩ対応の救命キュービクルを前記ＭＲＩ装置に挿入する工程、
ｅ．前記未熟な新生児のＭＲＩ測定を行う工程、とを備え、
前記連結されたＭＲＩ対応の救命キュービクルを前記ＭＲＩ装置に挿入するのと同時に、前記生命維持システムは、少なくとも１つの生命維持サービスを連続して前記未熟な新生児に提供する前記ＭＲＩ対応キュービクルに連結されたままであることを特徴とする未熟な新生児の生命維持環境室（ＳＥＣ）でのＭＲＩ測定を行う方法。
【請求項１７】
前記ＭＲＩ対応の救命キュービクルが、磁気透過性材料からなることを特徴とする請求項１６に記載の方法。
【請求項１８】
ａ．（i）前記未熟な新生児のＭＲＩのためのＭＲＤ装置及び（ii）磁気透過性の壁を有する未熟な新生児保育器を備える未熟な新生児環境室（ＳＥＣ）を提供する工程と、
ｂ．前記未熟な新生児を前記保育器内に配置する工程と、
ｃ．前記保育器と、前記未熟な新生児の前記ＭＲＤ撮影間に、前記未熟な新生児に対し少なくとも１つの生命維持サービスを提供するための生命維持システムの少なくとも１つとを連結する工程と、
ｄ．前記未熟な新生児に対する少なくとも１つの生命維持サービスを行う工程と、
ｅ．前記未熟な新生児が収容されている前記保育器を前記ＳＥＣに挿入する工程と、を備え、
前記保育器が前記少なくとも１つの生命維持システムに連結したままである間に、前記挿入が行われることを特徴とする、ＭＲＩ測定の間に未熟な新生児に少なくとも生命維持サービスを供給する方法。
【考案の詳細な説明】
【技術分野】
【０００１】
本考案は未熟児の核磁気共鳴画像法（ＭＲＩ）のための装置に関する。特に、未熟児を生命維持装置から引き離すことなく、未熟児のＭＲＩ検査及び測定を可能にするための手段および方法に関係する。
【背景技術】
【０００２】
ＭＲＩ／ＮＭＲ装置の設計における周知の技術的問題に、フリンジング磁場がある。このフリンジング磁場は、近くに設置される装置に対する干渉を引き起こしたり、２台のＭＲＩ／ＮＭＲ装置又は他の装置の近接を制限するのと同様に、磁性材料をＭＲＩ／ＮＭＲ装置の近くに配置する可能性から生じる安全性に対する懸念の原因となることがある。この制限は、たいてい、ＭＲＩ／ＮＭＲ装置が特別に隔てられた施設に格納されるという事実に帰着する。この件に関し、特に懸念すべき昨今の課題として、未熟児の集中治療室とＭＲＩ設備との間で未熟児を移動させずに、未熟児を生命維持装置から引き離したり、外すことなく、未熟児のＭＲＩ検査及び測定を行うことが求められている。
【０００３】
以下に示す先行技術が、本願技術の現状に関連すると考えられている。フィーナンによる特許文献１では、新生児の保育器と磁気共鳴保育器システムとの間を往復するように構成さた伸長可能な台車が開示されている。
【０００４】
ローリングによる特許文献２では、ＭＲＩ装置内に筺体が設けられ、この筺体は生命維持機構と連結して、選択された環境を維持するように構成されていることを開示する。ＲＦコイルは、筺体の内部に配置される。
【０００５】
現在利用できるウェブサイトである非特許文献１には、ＭＲＩ装置と共に用いられる保育器が開示されており、未熟児は検査用の移動可能な保育器へ移される。
【０００６】
上述の文献等では、患者は病室内に設置されている保育器から移動させられ、ＭＲＩ検査の前に、ＭＲＩの保育器の中に収容される保育器装置が開示されている。
【０００７】
コッホによる特許文献３及びロンネーカーラマーズによる特許文献４では、それぞれ、断層撮影用に特化した保育器が開示されている。これらの文献は、新生児を病室の保育器からＭＲＩ対応の保育器へ移動させるという課題に関連するものではない。
【先行技術文献】
【特許文献】
【０００８】
【特許文献１】米国特許出願公開第２００７／０２３２８９４号明細書
【特許文献２】米国特許第６６１１７０２号明細書
【特許文献３】米国特許第５８００３３５号明細書
【特許文献４】米国特許第７２７８９６２号明細書
【非特許文献】
【０００９】
【非特許文献１】インターネットhttp://www.sciencedaily.com/videos/2005/1211-inside_the_preemie_brain.htm＞
【考案の概要】
【考案が解決しようとする課題】
【００１０】
上述の文献は、例えば、未熟児用の集中治療室内で、未熟児がＭＲＩ／ＮＭＲ検査を受けることができるシステムまたは方法を提供しておらず、未熟児は、ＭＲＩ対応の保育器に移動する間、生命維持装置から引き離される必要がある。よって、従来技術の保育器中にいる新生児のような患者を移動させる間、患者や新生児は生命維持装置から引き離されることになり、これは患者の健康を危険にさらすことになる。従って、改良型の保育器の装置を提供するという、長年にわたり、これまで満たされていない要求がある。
【課題を解決するための手段】
【００１１】
本考案の１つの態様として、（ｉ）未熟な新生児用の保育器、及び（ｉｉ）測定装置の内部に収容される形状およびサイズに構成されており、ＳＥＣは、ＳＥＣが保育器内にある間に、未熟な新生児を収容するための少なくとも１つの第１の開放部と、ＳＥＣ内に密封された保育器の空気の体積内に新生児を閉じ込めるための第２の閉止部とが備えられ、新生児を含む密閉されたＳＥＣを保育器から移動させた際、閉じ込めが完全に維持されるように構成されている未熟な新生児の生命維持環境クレイドル（ＳＥＣ）が開示されている。
【００１２】
本考案の他の態様として、ＭＲＩ専用の未熟な新生児の生命維持環境クレイドル（ＳＥＣ）は、磁場に対し透過性のある材料で構成されており、測定装置はＭＲＩ装置であることが開示されている。
【００１３】
本考案の他の態様として、新生児のための密閉された生命維持装置に接続するアダプタをさらに備える上述の生命維持環境クレイドルが開示される。
【００１４】
本考案の他の態様として、１つ以上の手でアクセスできるポートと、柔軟性を有し非弾性で軽量な少なくとも２つの密封ガス気密フラップ（ＳＦｓ）とをさらに備え、このフラップは、ポート開口部の同一平面内に重なるように配置され、新生児を取扱うためのポート開口部を完全に覆っている上述のＳＥＣが開示される。
【００１５】
本考案の他の態様として、ＳＥＣが少なくとも部分的に可逆的に折り畳み可能又は展開可能な構造で構成されている上述のＳＥＣが開示される。
【００１６】
本考案の他の態様として、少なくとも部分的に可逆的に折り畳み可能な構造が、新生児を収容する開口部を有する連続的な包膜を形成するようなサイズ及び形状に構成された複数の曲線状若しくは多角形のフラップ又は部材から形成されている上述のＳＥＣが開示される。
【００１７】
本考案の他の態様として、測定装置の内部に収容される形状およびサイズに構成されている未熟な新生児の生命維持保育器（ＳＥＩ）であって、ＳＥＩは測定装置と干渉しない材料で形成され、ＳＥＩは、ＳＥＩ内に密封された体積内に新生児を閉じ込めるための閉止部が、新生児を含むＳＥＩと測定装置との間を移動させた際、閉じ込めが完全に維持されるように構成されている生命維持保育器が開示される。
【００１８】
本考案の他の態様として、ＭＲＩ装置の内部に収容される形状およびサイズに構成されているＭＲＩ専用の未熟な新生児の生命維持保育器（ＭＲＩ−ＳＥＩ）であって、ＭＲＩ―ＳＥＩは、磁気に透過性のある材料で構成されており、ＭＲＩ−ＳＥＩの密封された体積内に新生児を閉じ込めるための閉止部が、（i）新生児を含むＭＲＩ−ＳＥＩのＭＲＩ装置への移動及びその逆の移動、並びに（ii）測定の間、の両方において閉じ込めが完全に維持されるように構成されている未熟な新生児の生命維持保育器が開示される。
【００１９】
本考案に関連する方法の別の態様として、未熟な新生児の生命維持環境クレイドル（ＳＥＣ）を取得しＳＥＣを（i）未熟な新生児のための保育器、及び（ii）測定装置の内部に収容される形状およびサイズに準備する工程と、保育器内にＳＥＣを配置する工程と、保育器内でＳＥＣを開ける工程と、少なくとも１つの開放状態のＳＥＣ内に新生児を収容する工程と、測定を行う前に、保育器内のＳＥＣを密封し、ＳＥＣ内に（i）保育器の空気と（ii）新生児とを閉じ込める工程と、保育器から、閉止状態のＳＥＣを出す工程と、新生児を含むＳＥＣを測定装置に移動させ、新生児を外部環境にさらさずに測定を行う工程とを備え、閉じ込めされたＳＥＣ内の新生児を移動させる工程は、外部環境に新生児をさらすことなく実行される、保育器の外の環境に未熟な新生児をさらすことなく未熟な新生児の測定を行う方法が開示される。
【００２０】
本考案に関連する方法の別の態様として、ＳＥＣを取得する工程には、磁場に対して透過性のある材料でＳＥＣを形成する工程が含まれ、かつ、新生児を含むＳＥＣを測定装置に移動する工程には、測定装置にＭＲＩ装置を選択することが含まれている、保育器の外の環境に未熟な新生児をさらすことなく未熟な新生児のＭＲＩ測定を行えるように構成されている上述の方法が開示される。
【００２１】
本考案に関連する方法の別の態様として、測定装置の内部に収容される形状およびサイズに構成された未熟な新生児の生命維持保育器（ＳＥＩ）を取得し、ＳＥＩを測定装置と干渉しない材料で形成し、ＳＥＩの密封された体積内に新生児を閉じ込めるための閉止部をＳＥＩに設ける工程と、新生児をＳＥＩ内に収容する工程と、測定前に、新生児を含むＳＥＩを測定装置に移動し、新生児を外部環境にさらすことなく測定を行う工程とを備える保育器の外の環境にさらすことなく未熟な新生児の測定を行う方法が開示される。これによって、新生児を含むＳＥＩを測定装置に移動及びその逆の両方の移動を行うこと及び測定の間に、閉じ込めが完全に維持される。
【００２２】
本考案に関連する方法の別の態様として、ＳＥＩを取得する工程には、磁場に対して透過性のある材料でＳＥＩを形成する工程が含まれ、かつ、測定を行う工程には、測定装置にＭＲＩ装置を選択することが含まれている、保育器の外の環境に未熟な新生児をさらすことなくＭＲＩ測定を行えるように構成されている上述の方法が開示される。
【００２３】
本考案に関連する方法の別の態様として、磁場に対して透過性を有する新生児の保育器を提供する工程と、新生児の保育器を収納できるように構成された未熟児生命維持環境室を提供し、新生児の保育器が連続的に新生児に提供できるように、環境室は、少なくとも１つの生命維持サービスを連続的に新生児に供給する工程と、未熟な新生児を保育器に配置する工程と、未熟な新生児に対し、少なくとも１つの生命維持サービスが行われる工程と、未熟な新生児を含む保育器をＳＥＣに移動する工程とを備え、移動工程は、少なくとも１つの生命維持サービスを分断することなくなされ、さらに、ＳＥＣは可搬式ＭＲＤ装置内から操作されることを特徴とするＭＲＤ測定間に未熟な新生児の生命を維持する方法が開示される。
【００２４】
本考案の別の態様として、ＭＲＩ測定のための未熟な新生児の生命維持環境室（ＳＥＣ）であって、未熟な新生児に対し、少なくとも１つの生命維持サービスを供給するためのＭＲＩ対応救命キュービクルは、ＭＲＩ装置への挿入のための調整可能な幾何学的形状を有し、少なくとも１つの磁気透過性材料を備えており、ＭＲＩ対応の救命キュービクルが少なくとも１つの生命維持システムに結合するための生命維持結合システムは、ＭＲＩ装置への挿入のための調整可能な幾何学的形状を有し、連結／分離機構、及び少なくとも１つの磁気透過性材料を備え、ＭＲＩ対応の救命キュービクル内に未熟な新生児を配置している間、ＭＲＩ対応の救命キュービクルは生命維持装置に連結されたままである生命維持環境室（ＳＥＣ）が開示される。
【００２５】
本考案の別の態様として、少なくとも１つの生命維持サービスは、空気、水、ガス及び輸液の交換、薬物送達、かん流、廃物除去、輸血、麻酔ガス並びにこれらのいかなる組み合わせからなる群より選ばれる上述の装置が開示される。
【００２６】
本考案に関連する方法の別の態様として、未熟な新生児のＭＲＩ測定を行うためのＭＲＩ装置を提供する工程と、ＭＲＩ対応の救命キュービクル内に未熟な新生児を配置する工程、ＭＲＩ対応のキュービクルに少なくとも１つの生命維持システムを連結する工程、連結されたＭＲＩ対応の救命キュービクルをＭＲＩ装置に挿入する工程、未熟な新生児のＭＲＩ測定を行う工程、とを備え、連結されたＭＲＩ対応の救命キュービクルをＭＲＩ装置に挿入するのと同時に、生命維持システムは、少なくとも１つの生命維持サービスを連続して未熟な新生児に提供するＭＲＩ対応キュービクルに連結されたままであることを特徴とする未熟な新生児の生命維持環境室（ＳＥＣ）でのＭＲＩ測定を行う方法が開示される。
【００２７】
本考案に関連する方法の別の態様として、ＭＲＩ対応の救命キュービクルが、磁気透過性材料からなる上述の方法が開示される。
【００２８】
本考案に関連する方法の別の態様として、未熟な新生児のＭＲＩのためのＭＲＤ装置及び磁気透過性の壁を有する未熟な新生児保育器を備える未熟な新生児環境室（ＳＥＣ）を提供する工程と、未熟な新生児を保育器内に配置する工程と、保育器と、未熟な新生児のＭＲＤ撮影間に、未熟な新生児に対し少なくとも１つの生命維持サービスを提供するための生命維持システムの少なくとも１つとを連結する工程と、未熟な新生児に対する少なくとも１つの生命維持サービスを行う工程と、未熟な新生児が収容されている保育器をＳＥＣに挿入する工程と、を備え、保育器が少なくとも１つの生命維持システムに連結したままである間に、挿入が行われることを特徴とする、ＭＲＩ測定の間に未熟な新生児に少なくとも生命維持サービスを供給する方法が開示される。
【００２９】
磁気透過性材料には、特に、例えばポリメタクリル酸塩等の材料、例えばポリメタクリル酸メチル（ＰＭＭＡ）等の材料、プレキシグラス及びパースペックスが含まれる。
【００３０】
生命維持装置は本願考案の保育器内部に配置されている新生児に対し、例えば酸素、空気温度及び湿度、ガス及び流体交換、薬物送達、かん流、廃物除去、輸血、麻酔ガス並びにその他の必要な流体及び物質等の環境特性を主に提供する。
【図面の簡単な説明】
【００３１】
本考案を理解し、実際にどのように実施されるかについて理解するために、非限定的な実施例であるが、以下添付の図面を参照しつつ、いくつかの好適な実施例を開示する。
【００３２】
【図１】本考案のいくつかの実施態様によるＳＥＣの縮尺が限定されない図（斜視図）である。
【図２】本考案のいくつかの実施態様によるＳＥＣの縮尺が限定されない図（斜視図）である。
【図３】従来技術の２段階法を示す図である。
【図４】本考案の一実施態様による縮尺が限定されない１段階法を示す図である。
【図５】本考案の一実施態様による縮尺が限定されない別の１段階法及びＳＥＩ装置を示す図である。
【考案を実施するための形態】
【００３３】
本考案の全章に沿って、いかなる当業者も本考案を実施できるようにするための記載及び、本考案を実施する考案者により検討された最良の形態に関する記載が以下提供される。しかしながら、本考案の包括的な本質は、特に、未熟な新生児の生命維持環境室及びそれを用いる方法を提供することであるため、さまざまな変更態様は当業者にとって明らかである。
【００３４】
本考案は、ＭＲＤ装置のような可搬式のＭＲＩ／ＮＭＲ装置内で使用するために、磁場に対する透過性を有する未熟な新生児の生命維持環境室（以下、「ＳＥＣ」という）を提供する。この環境室ＳＥＣは、磁場に対する透過性を有する保育器を収容できるように構成されている。それゆえ、このＳＥＣは、ＳＥＣと、密封された未熟な新生児用の生命維持システムを含む保育器とで構成される。
【００３５】
本明細書における「麻酔ガス」という用語は、以下、亜酸化窒素（Ｎ２０）、ハロセン、エンフルラン、イソフルラン、セボフルラン、デスフルラン及びキセノン、水、酸素又はそれらのいかなる組み合わせからなる群から選択されるいかなるガスのことをいう。
【００３６】
本明細書における「磁気共鳴装置」（ＭＲＤ）という用語は、いかなる磁気共鳴映像（ＭＲＩ）装置、いかなる核磁気共鳴（ＮＭＲ）分光器、いかなる電子スピン共鳴（ＥＳＲ）分光器、いかなる核四重極共鳴（ＮＱＲ）、又はそれらのいかなる組み合わせに適用される。本考案の実施態様は、上述したＭＲＤ装置のいかなる組み合わせと使用するために構成されている。
【００３７】
ここで使用されている「新生児」という用語は、全体的にあるいは部分的に保育器内に入れられる物体又は生物をいう。
【００３８】
ここで使用されている「多数」という用語は、非限定的な方法での、１以上のいかなる整数のことをいう。
【００３９】
ここでの「約」という用語は、規定値の±２５％量に適用される。
【００４０】
図１には、（ｉ）未熟な新生児（１）のための保育器（１００）、及び（ｉｉ）測定装置（図示せず）の内部に収容される形状およびサイズに構成された未熟な新生児の生命維持環境クレイドル（ＳＥＣ、１０）の説明図が開示されている。本考案の一実施態様によれば、ＳＥＣは、さらに、新生児のための密閉された生命維持システム（１２）に接続するためのアダプタ（１１）を備えている。ここでの生命維持とは、麻酔ガス、空気調整、水、食事供給、薬剤、注入、電子機器、さまざまな医療設備に対するケーブル等からなる群の１つ以上があげられる。
【００４１】
図２ａ及び図２ｂには、ＳＥＣが保育器内にある間に、新生児を収容するための少なくとも１つの第１の開放部（図２ａの１０ａ）と、ＳＥＣ内に密封された保育器の空気の容積内に新生児を封じ込めるための第２の閉止部（図２ｂの１０ｂ）とが備えられ、新生児を収容する密封されたＳＥＣを保育器から移動させても封じ込めが完全に維持されるように構成されたＳＥＣが示されている。この封じ込めは、流体密封、気体密封等のいずれかにより形成されることができる。
【００４２】
本考案の一実施態様によれば、この少なくとも部分的に可逆的に折り畳み可能又は展開可能な構造（１０ａ−１０ｂ）は、新生児を収容する開口部を有する連続的な包膜を形成するようなサイズ及び形状に構成された複数の曲線状若しくは多角形のフラップ又は部材から形成される。ここで、１つのフラップ（１３ａ）はクレイドルを形成し、他の２つのフラップ（１３ｂ及び１３ｃ）は壁を形成する。
【００４３】
ここで、従来技術を示す図３についてみると、新生児（１）は、保育器（３０ａ）内に収容されている。例えば、離れた場所に配置されたＭＲＩ（２００）でＭＲＩ測定のような測定を行う前に、新生児はその保育器から出され、短期間維持システムから離れさせられ、それから、新生児はＭＲＩ装置内に配置される。場合によっては、測定を行う間、新生児をサポートし固定するための特別に設計されたＭＲＩ用保育器（２０）が使われる。測定が終わったあと、新生児は測定装置から取り出され、そして再び保育器に戻る前に周囲の危険な環境にさらされる。この二段階法は、このように新生児に対する危険がある。
【００４４】
図４は、生命維持装置から新生児を引き離して生命を危険にさらすことなく、測定装置を用いた健康診断および測定が行われる、本考案の１段階法を示す。新生児は、通常、保育器１００内のＳＥＣの開放部に配置される。測定前に、ＳＥＣはその閉止状態（１０）に構成される。新生児はＳＥＣ１０内で生命維持システム（図示せず）に接続されたまま、安全に測定装置（２００）、ここではＭＲＩ装置に移される。ＳＥＣ１０は、磁場に対して透過性のある材料で作られており、このようにして新生児は、固定され、かつ、安全な環境に支持される。新生児が保育器へ戻るのは、同様に容易であり、安全である。
【００４５】
また、図４は図式的に、保育器の外部環境に未熟な新生児をさらすことなく、未熟な新生児の測定を行う方法を示す。この方法は、未熟な新生児の生命維持環境クレイドル（ＳＥＣ、１０）を取得し、ＳＥＣを（ｉ）未熟な新生児用の保育器（１００）、及び（ｉｉ）測定装置（２００）の内部に収容される形状およびサイズに形成する工程と、ＳＥＣ１０を保育器１００内に配置する工程と、保育器１００内でＳＥＣ１０を開ける工程と、少なくとも一か所が開放状態のＳＥＣ内に新生児を収容する工程と、測定を行う前に、保育器内でＳＥＣ１０を密封し、ＳＥＣ内に（ｉ）保育器１００の空気と（ｉｉ）新生児とを封じ込める工程と、保育器１００から閉止状態のＳＥＣを出す工程と、新生児を収容しているＳＥＣ１０を測定装置（たとえば、ＭＲＩ装置２００）に移動させ、新生児を外部環境にさらさずに測定を行う工程とを備えている。
【００４６】
図５は、本考案の他の実施態様によるＭＲｌ専用の未熟な新生児の生命維持保育器（ＭＲＩ−ＳＥＩ、１０１）を示している。ＭＲＩ−ＳＥＩ（１０１）は、磁気透過性材料で形成されている。ＭＲＩ−ＳＥＩは、ＭＲＩ−ＳＥＩの密封された容積内に新生児を封じ込めるための閉止部が、（i）新生児を収容しているＭＲＩ−ＳＥＩのＭＲＩ装置（２００）への移動及びその逆の移動、並びに（ii）測定の間の両方において封じ込めが完全に維持されるように構成されている。
【００４７】
また、図５は図式的に、保育器の外部環境に未熟な新生児をさらすことなく、未熟な新生児の測定を行う方法を示す。この方法は、測定装置（ここでも２００）内に収容される形状およびサイズにより構成される未熟な新生児の生命維持保育器（ＳＥＩ、ここでも１０１）を取得する工程と、ＳＥＩを測定に干渉しない材料で形成する工程と、密封されたＳＥＩの容積内に新生児を封じ込めるための閉止部材をＳＥＩに設ける工程と、ＳＥＩ内に新生児を収容する工程と、測定を行う前に、新生児を収容したＳＥＩを測定装置に移動して測定を行う工程を備え、新生児を外部環境にさらさずに、新生児を収容したＳＥＩの測定装置への移動、その逆、及び測定の間において封じ込めが完全に維持される。
【図１】
0003184764.tif 000003
【図２】
0003184764.tif 000004
【図３】
0003184764.tif 000005
【図４】
0003184764.tif 000006
【図５】
0003184764.tif 000007
【手続補正書】
【提出日】平成25年3月8日(2013.3.8)
【手続補正１】
【補正対象書類名】実用新案登録請求の範囲
【補正対象項目名】全文
【補正方法】変更
【補正の内容】
【実用新案登録請求の範囲】
【請求項１】
未熟な新生児の生命維持環境クレイドル（ＳＥＣ）であって、（ｉ）未熟な新生児用の保育器、及び（ｉｉ）測定装置の内部に収容される形状およびサイズに構成されており、前記ＳＥＣは、前記ＳＥＣが前記保育器内にある間に、前記未熟な新生児を収容するための少なくとも１つの第１の開放部と、前記ＳＥＣ内に密封された保育器の空気の体積内に前記新生児を閉じ込めるための第２の閉止部とが備えられ、前記新生児を含む密閉された前記ＳＥＣを前記保育器から移動させた際、前記閉じ込めが完全に維持されるように構成されていることを特徴とする生命維持環境クレイドル。
【請求項２】
ＭＲＩ専用の未熟な新生児の生命維持環境クレイドル（ＳＥＣ）であって、前記ＭＲＩ専用のＳＥＣは、磁場に対し透過性のある材料で構成されており、前記測定装置はＭＲＩ装置であることを特徴とする請求項１に記載の生命維持環境クレイドル。
【請求項３】
前記新生児のための密閉された生命維持装置に接続するアダプタをさらに備えることを特徴とする請求項１に記載の生命維持環境クレイドル。
【請求項４】
１つ以上の手でアクセスできるポートと、柔軟性を有し非弾性で軽量な少なくとも２つの密封ガス気密フラップとをさらに備え、前記フラップは、前記ポート開口部の同一平面内に重なるように配置され、前記新生児を取扱うための前記ポート開口部を完全に覆っていることを特徴とする請求項１に記載の生命維持環境クレイドル。
【請求項５】
前記ＳＥＣが少なくとも部分的に可逆的に折り畳み可能又は展開可能な構造で構成されていることを特徴とする請求項１に記載の生命維持環境クレイドル。
【請求項６】
前記少なくとも部分的に可逆的に折り畳み可能な構造が、前記新生児を収容する開口部を有する連続的な包膜を形成するようなサイズ及び形状に構成された複数の曲線状若しくは多角形のフラップ又は部材から形成されることを特徴とする請求項５に記載の生命維持環境クレイドル。
【請求項７】
測定装置の内部に収容される形状およびサイズに構成されている未熟な新生児の生命維持保育器（ＳＥＩ）であって、前記ＳＥＩは前記測定装置と干渉しない材料で形成され、前記ＳＥＩは、前記ＳＥＩ内に密封された体積内に前記新生児を閉じ込めるための閉止部が、前記新生児を含む前記ＳＥＩと前記測定装置との間を移動させた際、前記閉じ込めが完全に維持されるように構成されていることを特徴とする生命維持保育器。
【請求項８】
ＭＲＩ装置の内部に収容される形状およびサイズに構成されているＭＲＩ専用の未熟な新生児の生命維持保育器（ＭＲＩ−ＳＥＩ）であって、前記ＭＲＩ―ＳＥＩは、磁気に透過性のある材料で構成されており、前記ＭＲＩ−ＳＥＩの密封された体積内に前記新生児を閉じ込めるための閉止部が、（i）前記新生児を含む前記ＭＲＩ−ＳＥＩのＭＲＩ装置への移動及びその逆の移動、並びに（ii）前記測定の間、の両方において前記閉じ込めが完全に維持されるように構成されていることを特徴とする生命維持保育器。
【請求項９】
ＭＲＩ測定のための未熟な新生児の生命維持環境室であって、
ａ．未熟な新生児に対し、少なくとも１つの生命維持サービスを供給するためのＭＲＩ対応救命キュービクルは、ＭＲＩ装置への挿入のための調整可能な幾何学的形状を有し、少なくとも１つの磁気透過性材料を備えており、
ｂ．前記ＭＲＩ対応の救命キュービクルが少なくとも１つの生命維持システムに結合するための生命維持結合システムは、前記ＭＲＩ装置への挿入のための調整可能な幾何学的形状を有し、（i）連結／分離機構、及び（ii）少なくとも１つの磁気透過性材料を備え、
前記ＭＲＩ対応の救命キュービクル内に前記未熟な新生児を配置している間、前記ＭＲＩ対応の救命キュービクルは前記生命維持装置に連結されたままであることを特徴とする生命維持環境室。
【請求項１０】
前記少なくとも１つの生命維持サービスは、空気、水、ガス及び輸液の交換、薬物送達、かん流、廃物除去、輸血、麻酔ガス並びにこれらのいかなる組み合わせからなる群より選ばれることを特徴とする請求項９に記載の生命維持環境室。